【手続補正書】
【提出日】平成17年9月15日(2005.9.15)
【手続補正１】
【補正対象書類名】明細書
【補正対象項目名】全文
【補正方法】変更
【補正の内容】
【書類名】                        明細書
【発明の名称】伸縮ブーム用のブームセクション
【特許請求の範囲】
【請求項１】筒状の基端側のブームセクション内に、筒状の先端側のブームセクションを伸縮自在に嵌挿してなる伸縮ブームに用いられるブームセクションであって、
等幅の長尺な矩形鋼板をその曲げ稜線が当該鋼板の長手方向に沿う曲げ加工により逆Ｕ字状に形成した上部曲げ板１と、等幅の長尺な矩形鋼板をその曲げ稜線が当該鋼板の長手方向に沿う曲げ加工によりＵ字状の形成した下部曲げ板２とを、筒状に箱組みした上で、上部曲げ板１の幅方向左側縁部１ａと下部曲げ板２の幅方向左側縁部２ａ、および、上部曲げ板１の幅方向右側縁部１ｂと下部曲げ板２の幅方向右側縁部２ｂとを、それぞれ外側からの線溶接３，４で溶接固着して構成したものにおいて、
上部曲げ板１の幅方向左側縁部１ａと下部曲げ板２の幅方向左側縁部２ａ間および上部曲げ板１の幅方向右側縁部１ｂと下部曲げ板２の幅方向右側縁部２ｂ間に、それぞれ対応する側縁部を適宜幅で重合させた左側重合部５および右側重合部６を持たせると共に、これら左側重合部５および右側重合部６において外側に位置する上部曲げ板１あるいは下部曲げ板２の幅方向側縁端面と、内側に位置する下部曲げ板２あるいは上部曲げ板１の幅方向側縁部外側面との間を、それぞれ前記線溶接３，４で溶接固着してあることを特徴とする伸縮ブーム用のブームセクション。
【発明の詳細な説明】
【０００１】
【発明の属する技術分野】
この発明は、基端側の筒状のブームセクション内に先端側の筒状のブームセクションを伸縮自在に嵌挿してなる移動式クレーンあるいは高所作業車等の伸縮ブームに用いられるブームセクションに関するものである。
【０００２】
【従来の技術】
図３および図４は、この種のブームセクションの従来構成を示しており、図３はブームセクションの側面図、図４は図３に示すブームセクションのＹ−Ｙ断面を示す拡大断面図である。
【０００３】
図３および図４に示すように、ブームセクションは、等幅の長尺な矩形鋼板をその曲げ稜線が当該鋼板の長手方向に沿う曲げ加工により逆Ｕ字状に形成した上部曲げ板１と、等幅の長尺な矩形鋼板をその曲げ稜線が当該鋼板の長手方向に沿う曲げ加工によりＵ字状に形成した下部曲げ板２とを、筒状に箱組みした上で、上部曲げ板１の幅方向左側縁部１ａと下部曲げ板２の幅方向左側縁部２ａ、および、上部曲げ板１の幅方向右側縁部１ｂと下部曲げ板２の幅方向右側縁部２ｂを、それぞれ外側からの線溶接３，４で溶接固着して構成されている。
【０００４】
このように構成したブームセクションは、上部曲げ板１と下部曲げ板２とを線溶接３，４で溶接固着してなるものであるから、ブームセクションの構成部材の数が少なく構造が簡単であるという利点がある。
【０００５】
ところで、従来のブームセクションにおいては、上部曲げ板１の幅方向左側縁部１ａと下部曲げ板２の幅方向左側縁部２ａとの間を溶接固着する前記線溶接３は、上部曲げ板１の幅方向左側縁端面と下部曲げ板２の幅方向左側縁端面とを突き合わせた状態でこれら両端面間を溶接固着する突合せ溶接でなされており、また、上部曲げ板１の幅方向右側縁部１ｂと下部曲げ板２の幅方向右側縁部２ｂとの間を溶接固着する前記線溶接４は、上部曲げ板１の幅方向右側縁端面と下部曲げ板２の幅方向右側縁端面とを突き合わせた状態でこれら両端面間を溶接固着する突合せ溶接でなされている。
【０００６】
【発明が解決しようとする課題】
以上のように構成した従来のブームセクションは、上部曲げ板１と下部曲げ板２とを溶接固着する線溶接３および４が、上部曲げ板１および下部曲げ板２の対応する幅方向側縁端面同志の突き合わせ溶接であるので、これに起因し下記の問題を持っていた。
(1) ブームセクションの高さ寸法確保のため、上部曲げ板１および下部曲げ板２の各脚長（逆Ｕ字状およびＵ字状の脚長）の寸法精度が要求される。このため、上部曲げ板１および下部曲げ板２の板取りおよび曲げ加工が煩雑である。
(2) また、上部曲げ板１および下部曲げ板２の幅方向側縁端面の面取り加工（突き合わせ溶接のための開先加工等）を必要とし、この加工が煩雑である。
(3) 線溶接３，４を施す際に、上部曲げ板１および下部曲げ板２の対応する幅方向側縁端面同志の突き合わせ部分から内部への吹き抜けが発生し易く、この吹き抜けが発生しないよう注意しながら線溶接３，４をする必要があり、その溶接作業が煩雑であるという問題があった。なお、この問題に対処するため、特開平２０００−１６７６３号に開示されているように、突合せ部分に内側から裏金を当て線溶接３，４でこの裏金もあわせて溶接するようにしたものがあるが、このものにおいても溶接作業が煩雑であることにかわりはない(特許文献１参照)。
【０００７】
本発明は、構成部材の数が少なく構造が簡単であるという利点を持つものでありながら、線溶接３，４部分の構成を変更することにより上記した従来技術の問題点を解消した新規なブームセクションを提供することを目的とする。
【０００８】
【特許文献１】
特開平２０００−１６７６３号公報
【０００９】
【課題を解決するための手段】
上記の目的を達成するため、本発明に係る伸縮ブーム用のブームセクションは、次のように構成する。
筒状の基端側のブームセクション内に、筒状の先端側のブームセクションを伸縮自在に嵌挿してなる伸縮ブームに用いられるブームセクションであって、  等幅の長尺な矩形鋼板をその曲げ稜線が当該鋼板の長手方向に沿う曲げ加工により逆Ｕ字状に形成した上部曲げ板１と、等幅の長尺な矩形鋼板をその曲げ稜線が当該鋼板の長手方向に沿う曲げ加工によりＵ字状の形成した下部曲げ板２とを、筒状に箱組みした上で、上部曲げ板１の幅方向左側縁部１ａと下部曲げ板２の幅方向左側縁部２ａ、および、上部曲げ板１の幅方向右側縁部１ｂと下部曲げ板２の幅方向右側縁部２ｂとを、それぞれ外側からの線溶接３，４で溶接固着して構成したものにおいて、
上部曲げ板１の幅方向左側縁部１ａと下部曲げ板２の幅方向左側縁部２ａ間および上部曲げ板１の幅方向右側縁部１ｂと下部曲げ板２の幅方向右側縁部２ｂ間に、それぞれ対応する側縁部を適宜幅で重合させた左側重合部５および右側重合部６を持たせると共に、これら左側重合部５および右側重合部６において外側に位置する上部曲げ板１あるいは下部曲げ板２の幅方向側縁端面と、内側に位置する下部曲げ板２あるいは上部曲げ板１の幅方向側縁部外側面との間を、それぞれ前記線溶接３，４で溶接固着してあることを特徴とする伸縮ブーム用のブームセクション。
【００１０】
このように構成した本発明に係る伸縮ブーム用のブームセクションは、線溶接３，４に先立って、上部曲げ板１の幅方向左側縁部１ａと下部曲げ板２の幅方向左側縁部２ａ間および上部曲げ板１の幅方向右側縁部１ｂと下部曲げ板２の幅方向右側縁部２ｂ間に、それぞれ対応する側縁部を適宜幅で重合させた左側重合部５および右側重合部６を持たせて箱組みするものであるから、この箱組み作業において左側重合部５および右側重合部６のラップ幅を適宜調整することで、ブームセクションの高さ寸法精度を確保することができる。このため、上部曲げ板１および下部曲げ板２の各脚長（逆Ｕ字状およびＵ字状の脚長）の寸法精度が従来のものほど要求されることがなく、上部曲げ板１および下部曲げ板２の板取りおよび曲げ加工が容易となる。
【００１１】
また、上部曲げ板１と下部曲げ板２を溶接固着する線溶接３，４が、左側重合部５および右側重合部６において外側に位置する上部曲げ板１あるいは下部曲げ板２の幅方向側縁端面と、内側に位置する下部曲げ板２あるいは上部曲げ板１の幅方向側縁部外側面との間の隅肉溶接で構成されているので、従来のもののように上部曲げ板１および下部曲げ板２の幅方向側縁端面の面取り加工（突き合わせ溶接のための開先加工等）を必要とせず、しかも、線溶接５，６を施す際に、内部への吹き抜けが生じ難いので溶接作業が容易となる。
【００１２】
【発明の実施の形態】
以下本発明の伸縮ブームのブームセクションの構成を、図１および図２に基づいて説明する。図１は、本発明に係る伸縮ブームのブームセクションの側面図を示し、図２は図１のＸ−Ｘ断面を示す拡大断面図である。
【００１３】
本発明に係るブームセクションは、従来のものと同様に、等幅の長尺な矩形鋼板をその曲げ稜線が当該鋼板の長手方向に沿う曲げ加工により逆Ｕ字状に形成した上部曲げ板１と、等幅の長尺な矩形鋼板をその曲げ稜線が当該鋼板の長手方向に沿う曲げ加工によりＵ字状の形成した下部曲げ板２とを、筒状に箱組みした上で、上部曲げ板１の幅方向左側縁部１ａと下部曲げ板２の幅方向左側縁部２ａ、および、上部曲げ板１の幅方向右側縁部１ｂと下部曲げ板２の幅方向右側縁部２ｂとを、それぞれ外側からの線溶接３，４で溶接固着して構成している。
【００１４】
図１および図２に示すように本発明に係るブームセクションは、線溶接３，４に先立ってなされる上部曲げ板１と下部曲げ板２との箱組みにおいて、上部曲げ板１の幅方向側縁部１ａと下部曲げ板２の幅方向左側縁部２ａ間、および、上部曲げ板１の幅方向右側縁部１ｂと下部曲げ板２の幅方向右側縁部２ｂ間に、それぞれ対応する側縁部を適宜幅で重合させた左側重合部５および右側重合部６を持たせている。
【００１５】
図１および図２のものでは、左側重合部５および右側重合部６の内外関係は、下部曲げ板４の該当部分を外側に位置させており、線溶接３は、左側重合部５において外側に位置する下部曲げ板２の幅方向左側縁端面２ａ−１と、内側に位置する上部曲げ板１の幅方向左側縁部１ａの外側面との間を溶接固着する隅肉溶接となっており、線溶接４は、右側重合部６において外側位置する下部曲げ板２の幅方向右側縁端面２ｂ−１と、内側に位置する上部曲げ板１の幅方向右側縁部１ｂとの間を溶接固着する隅肉溶接となっている。
【００１６】
なお、左側重合部５および右側重合部６における上部曲げ板１の幅方向側縁部１ａ，１ｂと下部曲げ板２の幅方向側縁部２ａ，２ｂの内外関係は、図１および図２のものと逆、すなわち、上部曲げ板１の側縁部１ａ，１ｂを外側に位置させた構成としても良い。この場合、線溶接３は、左側重合部５において外側に位置する上部曲げ板１の幅方向左側縁端面１ａ−１と、内側に位置する下部曲げ板２の幅方向左側縁部２ａの外側面との間を溶接固着する隅肉溶接となり、線溶接４は、右側重合部６において外側に位置する上部曲げ板１の幅方向右側縁端面１ｂ−１と、内側に位置する下部曲げ板２の幅方向右側縁部２ｂの外側面との間を溶接固着する隅肉溶接となる。
【００１７】
要は、線溶接３は、左側重合部５において外側に位置する下部曲げ板２または上部曲げ板１の幅方向左側縁端面と、内側に位置する上部曲げ板１または下部曲げ板２の幅方向左側縁部の外側面との間を溶接固着する隅肉溶接となっており、また、線溶接４は、右側重合部６において外側に位置する下部曲げ板２または上部曲げ板１の幅方向右側縁端面と、内側に位置する上部曲げ板１または下部曲げ板２の幅方向右側縁部の外側面との間を溶接固着する隅肉溶接となっておれば良い。
【００１８】
【発明の効果】
本発明に係る伸縮ブーム用のブームセクションは、従来のものと同様、使用部材の点数が少なく構造簡単であるという利点を持つものでありながら、従来のブームセクションが持つ上記（１）（２）の問題点を解消することができるものである。
【図面の簡単な説明】
【図１】本発明に係る伸縮ブーム用のブームセクションの側面図、
【図２】図１のＸ−Ｘ断面の拡大断面図、
【図３】従来の伸縮ブーム用のブームセクションの側面図、
【図４】図３のＹ−Ｙ断面の拡大断面図、
【符号の説明】
１；上部曲げ板、
１ａ；上部曲げ板１の幅方向左側縁部、
１ａ−１；上部曲げ板１の幅方向左側縁端面、
１ｂ；上部曲げ板１の幅方向右側縁部、
１ｂ−１；上部曲げ板１の幅方向右側縁端面、
２；下部曲げ板、
２ａ；下部曲げ板２の幅方向左側縁部、
２ａ−１；下部曲げ板２の幅方向左側縁端面、
１ｂ；下部曲げ板２の幅方向右側縁部、
１ｂ−１；下部曲げ板２の幅方向右側縁端面、
３；線溶接、
４；線溶接、
５；左側重合部、
６；右側重合部、